(57)【要約】本発明は天然環状ケイ酸塩及び天然二酸化ケイ素を含む結晶混合物（５６、５８）を胸腺の刺激のための使用することに関する。
2005525135.tif 000002
【特許請求の範囲】
【請求項１】
天然環状ケイ酸塩及び天然二酸化ケイ素を含む結晶混合物の胸腺の刺激のための使用。
【請求項２】
天然二酸化ケイ素が水晶（１００、１０２、１０４、１０６、１０８、１１０、１１２、１１４、１１６、１１８、１２０、１２２）であり、及び／又は天然環状ケイ酸塩が電気石、特に緑色電気石（１２４、１２６、１２８、１３０）であることを特徴とする請求項１に記載の混合物。
【請求項３】
天然二酸化ケイ素が煙水晶、紫水晶、黄水晶、バラ石英、乳石英、サファイアクオーツ、黒水晶、猫目石、虎眼石、鷹晴石、鉄石英及び／又は脈石英であることを特徴とする請求項１に記載の混合物。  
【請求項４】
天然環状ケイ酸塩がα−ケイ灰石、ベニトアイト、緑柱石、翠銅鉱もしくは黒色、褐色、青色、赤色又は無色電気石であることを特徴とする請求項１又は２に記載の混合物。
【請求項５】
水晶（１００、１０２、１０４、１０６、１０８、１１０、１１２、１１４、１１６、１１８、１２０、１２２）の形の天然二酸化ケイ素及び緑色電気石（１２４、１２６、１２８、１３０）の形の天然環状ケイ酸塩が量的に７：１ないし２：１、特に６：１ないし４：１の割合であることを特徴とする請求項１ないし４のいずれか１つに記載の混合物。
【請求項６】
中空体等からなる受容器の中の請求項１ないし５のいずれか１つに記載の混合物おいて、特に天然形、チップ状、球形、針状及び／又はボタン状の水晶（１００、１０２、１０４、１０６、１０８、１１０、１１２、１１４、１１６、１１８、１２０、１２２）及び緑色電気石（１２４、１２６、１２８、１３０）の形の結晶が中空体の中に特に積層して配置されていることを特徴とする請求項１ないし５のいずれか１に記載の混合物。
【請求項７】
二酸化ケイ素、特に水晶（１００、１０２、１０４、１０６、１０８、１１０、１１２、１１４、１１６、１１８、１２０、１２２）の形の少なくとも複数個の第１の物体と、天然環状ケイ酸塩、特に緑色電気石（１２４、１２６、１２８、１３０）の形の少なくとも１個の第２の物体とが受容器（５０）の中に配置され、第１の物体及び少なくとも１個の第２の物体がそれぞれ２ｍｍ≦Ｌ≦３ｍｍの最大長さＬを有することを特徴とする請求項１ないし６のいずれか１つに記載の混合物。
【請求項８】
結晶（１００、１０２、１０４、１０６、１０８、１１０、１１２、１１４、１１６、１１８、１２０、１２２；１２４、１２６、１２８、１３０）が受容器（５０）の中に列状に並んで又は重なり合って配置されていることを特徴とする請求項２ないし４のいずれか１つに記載の混合物。
【請求項９】
受容器（５０）が金、銀、白金などの貴金属又は貴金属の合金から成るか、又はこれらを含むことを特徴とする請求項１ないし８のいずれか１つに記載の混合物。
【請求項１０】
貴金属が銀であり、場合によってはロジウムで被覆されていることを特徴とする請求項１ないし９のいずれか１つに記載の混合物。
【請求項１１】
受容器（５０）が直方体の幾何学的形状を有し、その少なくとも２つの、特にすべての縦側壁（６０、６２、６４、６６）が貫通孔（７０、７１、７２、７３、７４）を有することを特徴とする請求項１ないし１０のいずれか１つに記載の混合物。
【請求項１２】
直方体が閉じた底部壁（７８）及び／又は頂部壁（８０）を有することを特徴とする請求項１ないし１１のいずれか１つに記載の混合物。
【請求項１３】
貫通孔（７１、７２、７３、７４）が円形及び／又は四角形、例えば正方形の幾何学的形状を有することを特徴とする請求項１ないし１２のいずれか１つに記載の混合物。
【請求項１４】
受容器（５０）が、ネックレスなどの鎖（７６）から延出したペンダントであることを特徴とする請求項１ないし１３のいずれか１つに記載の混合物。
【請求項１５】
受容器が球形、立方体形、楕円形、円筒形、腎臓形又はハート形を有することを特徴とする請求項１ないし１４のいずれか１つに記載の混合物。
【請求項１６】
混合物が、特に装身具（１０、５０）として形成されていることを特徴とする請求項１ないし１５のいずれか１つに記載の混合物。
【請求項１７】
混合物がペンダント（１０、５０）であることを特徴とする請求項１ないし１６のいずれか１つに記載の混合物。
【請求項１８】
装身具が少なくとも部分的に貴金属又は貴金属を含む材料と結合され、もしくはこの材料が貫通していることを特徴とする請求項１ないし１７のいずれか１つに記載の混合物。
【請求項１９】
装身具の一部が貴金属からなる又は貴金属を含む枠に納められていることを特徴とする請求項１ないし１８のいずれか１つに記載の混合物。
【請求項２０】
枠が銀又は銀合金からなることを特徴とする請求項１ないし１９のいずれか１つに記載の混合物。
【請求項２１】
天然二酸化ケイ素が基体であり、円板状の形状を有することを特徴とする請求項１ないし２０のいずれか１つに記載の混合物。
【請求項２２】
天然環状ケイ酸塩が第２の物体（１４）として天然二酸化ケイ素の形の基体（１２）の上に配置されていることを特徴とする請求項１ないし２１のいずれか１つに記載の混合物。
【請求項２３】
第２の物体（１４）としての天然環状ケイ酸塩が天然二酸化ケイ素の形の基体（１２）に象眼として収容されていることを特徴とする請求項１ないし２２のいずれか１つに記載の混合物。
【請求項２４】
第２の物体（１４）が基体（１２）の中央に配置されていることを特徴とする請求項１ないし２３のいずれか１つに記載の混合物。
【請求項２５】
基体（１２）の上に第２の物体（１４）が配置されている場合、第２の物体（１４）が円筒形であることを特徴とする請求項１ないし２４のいずれか１つに記載の混合物。
【請求項２６】
円筒形の第２の物体（１４）の端面（１８、２０）が少なくとも部分的に貴金属で覆われていることを特徴とする請求項１ないし２５のいずれか１つに記載の混合物。
【請求項２７】
ペンダント（１０）の形の混合物がこれを利用する人の胸腺の区域に配置されるように、ペンダントを鎖が貫通することを特徴とする請求項１ないし２６のいずれか１つに記載の混合物。
【請求項２８】
電磁放射を遮蔽及び／又は減少するための請求項１ないし２７のいずれか１つに記載の混合物。
【請求項２９】
貴金属からなり、貫通孔を有し、請求項１ないし２８のいずれか１つに記載の結晶（１００、１０２、１０４、１０６、１０８、１１０、１１２、１１４、１１６、１１８、１２０、１２２；１２４、１２６、１２８、１３０）の混合物が中に配置された受容器（５０）を具備するペンダントの形の装身具。  
【発明の詳細な説明】
【技術分野】
【０００１】
本発明は胸腺の刺激のための結晶混合物の使用に関する。
【背景技術】
【０００２】
例えば黄色ヘキ玉、エメラルド又は蛇紋石が胸腺を活性化し、刺激することが知られている（Das Grosse Lexikon der Heilsteine，Duefte und Kraeuter，［薬用石、香水及び風味用植物大事典］メスザレム・フエアラークゲゼルシャフト・エムベーハー社（ノイーウルム）出版，１９９７年発行、３１９頁）。アクアマリン、青色電気石、ダイアモンド、緑色電気石、ラピスラズリ、軟玉又はペリドットも胸腺に作用する。ところが測定が明らかにしたところでは、限られた効果しか与えられない。
【０００３】
ドイツ実用新案第２０１０３７３７号は電磁界を発生する機器の人への影響を減少するための装置に関するものである。その場合、準宝石及び宝石材料又は結晶鉱物の混合物を使用することが提案され、材料の１つとして赤鉄鉱と、別の材料としてとりわけ水晶が提案される。
【０００４】
ドイツ特許公開第４３１７８８４号は人体に有害な環境の影響を中和又は遮蔽するための装置に関するものである。その場合、非金属容器に鉱物、例えば石英が収納される。ドイツ特許公開第３３２５５０７号は病原性刺激域の障害除去のための、黒鉛と石英の積層物を備える装置を主題とする。
【０００５】
スイス特許第６８７４３８号は地球放射及びレンガ積みの増大する湿気の遮蔽のための部材を記載する。部材は電気的良伝導材料からなる受容体を備え、その中に粒状鉱物が充填されている。粒状鉱物は例えばケイ砂である。
【発明の開示】
【発明が解決しようとする課題】
【０００６】
本発明は、高い胸腺刺激が可能な結晶混合物を提供することを目的とするものである。
【課題を解決するための手段及び発明の効果】
【０００７】
本発明によれば、この課題は天然環状ケイ酸塩及び天然二酸化ケイ素を含む結晶混合物を胸腺の刺激のために使用することによって解決される。その場合天然二酸化ケイ素として特に水晶が、天然環状ケイ酸塩として電気石、特に緑色電気石が使用される。
【０００８】
結晶は特に重なり合って列状に配置することが好ましい。これによって結晶は圧電性を発揮することができ、その場合、緑色電気石がこの性質に極性を与える。こうして胸腺の刺激のために必要な振動を発生することができる。
【０００９】
とりわけ水晶の形の天然二酸化ケイ素と緑色電気石の形の天然環状ケイ酸塩が量的に７：１ないし２：１、特に６：１ないし３：１の割合であるならば、特別な効果が生じる。
【００１０】
意外なことに、この結晶混合物は胸腺及びその刺激に対して高い効果を示す。また運動学的測定により人体に対するこの結晶混合物の作用が証明された。さらに天然環状ケイ酸塩と天然二酸化ケイ素、特に水晶と緑色電気石の適当な混合物によって、人体に対する電磁放射の作用が減少されることを確認することができた。特に混合物が胸腺の直近区域にある場合がそうである。そこで本発明は電磁放射を遮蔽又は減少するための装置をも提案するものである。
【００１１】
このために特に水晶の形の二酸化ケイ素と、特に緑色電気石の形の天然環状ケイ酸塩とを結晶混合物として、貫通孔を有する受容器の中に配置することができる。受容器自体はペンダントなどの装身具として形成され、例えば鎖で吊るして胸腺の区域に配置される。その場合前述のように水晶と緑色電気石の間には７：１ないし３：１特に４：１の混合比が成り立つものとする。
【００１２】
水晶又は緑色電気石は特に天然形、チップ形、球形、針状又はボタン状の結晶をなすものとする。
【００１３】
その場合、この結晶は２ｍｍ≦Ｌ≦３ｍｍの最大長さＬを有するものとする。受容器自体は貴金属からなり又は貴金属を含むものとし、特に銀が挙げられる。
【００１４】
受容器の好ましい幾何学的形状は直方体であり、その場合少なくとも２つの縦側面、特にすべての縦側面に貫通孔が設けられ、貫通孔は円形又は四角形、例えば長方形又は正方形の幾何学的形状を有するものとする。
【００１５】
直方体の代表的な寸法は、底面３−７ｍｍ×３−７ｍｍ、特に５×５ｍｍ２で長さ２０−４０ｍｍ、特に約３０ｍｍである。
【００１６】
側壁にそれぞれ少なくとも３個ないし６個の貫通孔があって、底面側又は頂面側の貫通孔を鎖が貫通することができるものとする。
【００１７】
当該の直方体に充填するために、周囲側と底面側が密閉された物体が利用される。この物体は結晶を入れた後にカバー部材によって閉鎖される。カバー部材は例えば接着して固定することができる。
【００１８】
前述のように受容器は貴金属、例えば場合によってはロジウム被覆を有する９２５／００銀からなることができる。結晶の作用を歪めない別の適当な材料も考えられる。
【００１９】
特に銀、金又は白金もしくはその合金のような貴金属が考慮される。
【００２０】
この装身具を前述のように胸腺即ち胸骨の区域に配置することができる。ダイアモンド（Diamond）博士による運動学的上肢試験が明らかにしたところでは、この装置によって電磁放射を大幅に遮蔽又は減少することができるから、当該の装置を身に付ける人にとって電気浸透負荷が大幅に減少される。
【００２１】
特に、装身具が胸腺の区域にある限り、胸腺刺激が起こる。
【００２２】
先公知の提案と異なり、遮蔽効果又は刺激を引き起こす材料−一方では天然二酸化ケイ素特に水晶、他方では天然環状ケイ酸塩特に緑色電気石−をいわばバラ積みで、もしくは互いに入り組んで又は重なり合って配列することができる。その場合環状ケイ酸塩が二酸化ケイ素によって取り囲まれるものとする。しかし圧電性を十分に働かせるために、結晶を列状に配置することが好ましい。
【００２３】
円板状の二酸化ケイ素の場合は、環状ケイ酸塩をその中央に整列するものとする。特に二酸化ケイ素と環状ケイ酸塩の容積比が３：１ないし７：１の場合でも、こうして所望の遮蔽効果が最適化される。
【００２４】
本発明の別の実施形態によれば、環状ケイ酸塩を象眼として二酸化ケイ素に挿入する。代案として環状ケイ酸塩を、とりわけ円板状の研削した二酸化ケイ素の上に配置することができる。
【００２５】
このことは別として、二酸化ケイ素と環状ケイ酸塩は容積に関して７：１ないし２：１、特に６：１ないし３：１の割合とする。
【００２６】
また量的に二酸化ケイ素と環状ケイ酸塩の割合は７：１ないし２：１、特に６：１ないし３：１とする。
【００２７】
環状ケイ酸塩が二酸化ケイ素の上に配置されている場合は、環状ケイ酸塩が二酸化ケイ素の中央にあるものとする。その際、環状ケイ酸塩の好ましい形状として円筒形が挙げられる。その２つの端面を貴金属、例えば銀又は銀を含む貴金属で少なくとも区域的に被覆することが好ましい。これによって遮蔽効果の最適化が生じる。
【００２８】
特に、当該装置は装身具、例えばペンダントで構成される。その場合、装身具は少なくとも一部に、貴金属からなる又は貴金属を含む枠を備えることができる。装身具を銀又は銀合金で縁取りすることが好ましい。また他の貴金属、例えば金又は白金もしくは貴金属の合金も特に挙げられる。
【００２９】
本発明のその他の細部、利点及び特徴は特許請求の範囲及び特許請求の範囲に見られる特徴−単独で及び／又は組合せとして−だけでなく、図面の下記の説明に見られる好ましい実施例でも明らかである。
【発明を実施するための最良の形態】
【００３０】
原則として同じ部材に同じ参照符号を付した図１ないし４に、装身具として形成された胸腺の刺激又は電磁放射の減少のための装置の種々の実施形態が純原理的に示されている。なお図では、装身具の例としてペンダントが取り上げられているが、これによって本発明を制限するものではない。本発明の装置の別の構成も可能である。
【００３１】
また携帯装置又は電気機器の外郭又はケース隔壁に挿着して所望の遮蔽を得るために、本発明の装置を板状に形成することもできる。しかし前述のように装身具の形態が特に望ましいものとして強調される。
【００３２】
図１に装身具としてのペンダント１０が示されている。ペンダント１０は基体１２及び基体１２の中、又は上に配置され、基体１２と結合された第２の物体１４からなる。基体１２はとりわけ水晶の形の天然二酸化ケイ素であり、これに対して第２の物体１４は環状ケイ酸塩例えば緑色電気石である。
【００３３】
その場合、第２の物体１４は、図１の原理図が明示するように、基体１２の中央に配置されている。基体１２と第２の物体１４の容積比は７：１ないし３：１、特に４：１とする。
【００３４】
鎖を通すための目穴１６が基体１２の上縁から出ているから、ペンダント１０を人が着持し、基体１２が胸腺即ち胸骨の区域にあるように、高さを調整することができる。
【００３５】
図２ないし４の図示が明示するように、天然環状ケイ酸塩からなる第２の物体は基体の上に配置し（図２及び３）、又は基体の中にいわば象眼として挿着することができる。
【００３６】
天然環状ケイ酸塩からなる第２の物体１４は基体１２に固定する場合は円筒形であることが好ましい。その場合第２の物体１４と基体１２の間の結合は、例えば接着によって行うことができる。別の固定法も可能である。特に第２の物体１４の端面が貴金属又は貴金属を含む合金で覆われるものとする。それによって遮蔽効果が高められる。
【００３７】
図２及び４の実施例によれば、基体１２の上縁をクランプ部材２２が貫通し、一方、図１の目穴１６と同様な目穴２４がこのクランプ部材から出ている。
【００３８】
図３の実施例では天然二酸化ケイ素からなる基体１２は基体の横断面に整合するリング部材２６に納められ、物体の周縁側に伸びるウエブ２８がリング部材２６から延出する。鎖を通すことができるように、ウエブ２８は目穴３０に移行し又は目穴３０と結合されている。
【００３９】
胸腺の刺激及び／又は電磁放射の遮蔽又は減少のための本発明の好ましい実施例が図５及び６に示されている。
【００４０】
本発明に係る装置５０は直方体５２の形のペンダントをなす受容器を有し、その内室５４に水晶５６及び緑色電気石５８が収納されている。水晶５６と緑色電気石５８の割合は７：１ないし３：１、特に４：１とする。その場合緑色電気石５８が水晶５６の層の間にあるように、即ち緑色電気石５８が下側も上側も水晶５６に隣接するように、結晶５６、５８をケース５２の内室５４に配置する。
【００４１】
結晶５６、５８をペンダントをなす受容器にバラ積みとして収納することができるが、圧電性を十分に発揮させるために、結晶５６、５８を列状に重なり合って配置することが好ましい。その場合、緑色電気石がこの性質に極性を与える。こうして胸腺の刺激のために必要な振動を発生することができる。
【００４２】
緑色電気石５８も水晶５６も特に天然形、チップ状、球形、針状又はボタン状の個別結晶体からなり、最大長さＬは約３ｍｍ≦Ｌ≦６ｍｍとする。
【００４３】
側壁６０、６２、６４、６６に貫通孔７０、７２、７４が設けられている。その場合３つの側面−本例では側面６０、６４及び６６−に円形の貫通孔、残りの側面６２に長方形、例えば正方形の貫通孔がある。
【００４４】
また相対する側壁−本例では側壁６０、６６−の頂部側にある貫通孔７２は鎖７６のための目穴として利用される。従って、ペンダントは鎖７６より延出した態様をなす。正方形の底部壁７８及び頂部壁８０の面の一辺の長さがそれぞれ６．５ｍｍとして、長方形受容器５０の高さは、例えば３０ｍｍである。但しこの寸法は本発明を限定するものではない。
【００４５】
円形貫通孔７０、７１、７２、７３については約２．５ｍｍの直径を選定することができる。また長方形又は正方形の貫通孔７４の一辺の長さは２．５ｍｍとすることができる。こうして水晶５６及び緑色電気石５８の遮蔽及び放射抑制効果を最適に働かせるために、側壁６０、６２、６４、６６は十分な透過能を備えることになる。
【００４６】
特に図５で明らかなように、いわば蓋の機能を有する隔壁８０によってケース５２を閉鎖することができる。頂部壁８０を取り除けば、側壁６０、６２、６４、６６と底部壁７８からなる一方が開いたケースが生じ、これに結晶５６、５８を詰めることができる。頂部壁側の開口６２に鎖を通した後に、頂部壁８０でケース５０を閉鎖することができる。
【００４７】
ケース５０は例えば貴金属、例えば９２５／００銀からなり、さらにロジウム被覆を設けることができる。
【００４８】
その他の貴金属、例えば金又は白金もしくは貴金属の合金も同様に考慮される。
【００４９】
図７ａ）ないしｅ）に基づいて列状に配置された結晶の特徴を改めて説明することにする。これによって結晶は振とうされても互いに接触を保つから、圧電性を発揮することができ、その際、緑色電気石がこの性質に極性を与え、こうして胸腺の刺激のための所望の振動が発生される。
【００５０】
図７ａ）には装身具、例えばペンダントをなす、図５及び６に相当する結晶収納ケースが示されている。次に図７ｂ）ないしｅ）にはケース５０の横断面とケースの中に列状に配置された結晶が純原理的に示されている。なお空白で示した物体１００、１０２、１０４、１０６、１０８、１１０、１１２、１１４、１１６、１１８、１２０、１２２は水晶、塗りつぶして示した物体１２４、１２６、１２８及び１３０は緑色電気石を表示する。
【００５１】
電気石１２４、１２６、１２８、１３０が２つの水晶結晶１００、１０４又は１０８、１１０又は１２０、１２２の間に配置されていることがこの原理図で明らかである。また結晶の間に接触が生じる。
【００５２】
図７の結晶１００、１２４は長方形又は円筒形の形状を有することができる。図７の結晶１０６、１０８、１１０、１２６の幾何学的形状は円錐台形であり、小さな底面が大きな底面の上に支えられる。
【００５３】
図７ｄ）の結晶の符号１１２、１１４、１１６、１２８は個別結晶の集合を表示するものとする。従ってこの集合はそれぞれ結晶のバラ積みをなすことが可能である。このことは別として、バラ積みが結晶の列状配列をなすことによって、本発明に基づく機能が保証される。結晶が球形であることも可能である。
【００５４】
最後に図７ｅ）は結晶１１８、１２０、１２２、１３０が相異なる長さを有することを表示する。
【図面の簡単な説明】
【００５５】
【図１】胸腺の刺激及び／又は電磁放射の遮蔽又は減少のための本発明の装置の平面図を示す。
【図２】図１の胸腺の刺激及び／又は電磁放射の遮蔽又は減少のための本発明の装置の側面図を示す。
【図３】胸腺の刺激及び／又は電磁放射の遮蔽又は減少のための本発明の装置の第２の実施例の側面図を示す。
【図４】胸腺の刺激及び／又は電磁放射の遮蔽又は減少のための本発明の装置の第３の実施例の側面図を示す。
【図５】胸腺の刺激及び／又は電磁放射の遮蔽又は減少のための本発明の装置の他の好ましい実施例の図を示す。
【図６】図５の装置のケースの外観斜視図を示す。
【図７】ａ）ないしｅ）にそれぞれ列状に配置された結晶の原理図を含む図６のケースを示す。
【図１】
2005525135.tif 000003
【図２】
2005525135.tif 000004
【図３】
2005525135.tif 000005
【図４】
2005525135.tif 000006
【図５】
2005525135.tif 000007
【図６】
2005525135.tif 000008
【図７】
2005525135.tif 000009
2005525135.tif 000010
2005525135.tif 000011
2005525135.tif 000012
2005525135.tif 000013
【国際調査報告】
2005525135.tif 000014
2005525135.tif 000015
2005525135.tif 000016
2005525135.tif 000017
2005525135.tif 000018
2005525135.tif 000019